(57)【要約】  本発明は、携帯用デバイスによってデータオブジェクトを送信する方法が提供される。その方法は、オブジェクトサイズに基づき、音響通信リンク及びサポートされるラジオインターフェースを用いてデバイス間にオブジェクトを伝送するために要求される予想伝送時間を推定するステップと、推定結果、音響通信リンクが最も短い予想伝送時間を提供する場合にオブジェクトを音響チャンネルを通じて伝送するステップと、推定結果、音響通信リンクが最も短い予想伝送時間を提供しない場合には、予想伝送時間によってラジオインターフェースの順位を決定し、所定のフォーマットを有する構成コンテナーを用いて順位情報及びそれぞれのサポートされるラジオインターフェースに関する構成情報を音響通信チャンネルを通じて伝送し、応答が受信されるラジオインターフェースを通じてオブジェクトを伝送するステップとを有する。
2013512639.tif 000002
【特許請求の範囲】
【請求項１】
携帯用デバイスによってデータオブジェクトを送信する方法であって、
オブジェクトサイズに基づき、音響通信リンク及びサポートされるラジオインターフェースを用いてデバイス間にオブジェクトを伝送するために要求される予想伝送時間を推定するステップと、
前記推定結果、前記音響通信リンクが最も短い予想伝送時間を提供する場合に前記オブジェクトを音響チャンネルを通じて伝送するステップと、
前記推定結果、前記音響通信リンクが最も短い予想伝送時間を提供しない場合には、前記予想伝送時間によって前記ラジオインターフェースの順位を決定し、所定のフォーマットを有する構成コンテナーを用いて前記順位情報及びそれぞれのサポートされるラジオインターフェースに関する構成情報を音響通信チャンネルを通じて伝送し、応答が受信されるラジオインターフェースを通じて前記オブジェクトを伝送するステップと、
を有することを特徴とする方法。
【請求項２】
前記順位情報及び前記構成情報が音響通信チャンネルを通じて伝送された後に、前記オブジェクトは、すべてのラジオインターフェースを通じて応答がない場合、あるいは応答が所定時間で検出されない場合に前記音響通信チャンネルを介して伝送されることを特徴とする請求項１に記載の方法。
【請求項３】
前記予想伝送時間はリンクセットアップ時間を含むことを特徴とする請求項１に記載の方法。
【請求項４】
前記順位情報は、前記ラジオインターフェースの順位リストに該当し、あるいは前記ラジオインターフェースのうち最も高い順位のラジオインターフェースに関する選択情報に該当することを特徴とする請求項１に記載の方法。
【請求項５】
前記音響通信リンクに対する前記予想時間は下記の＜式１＞のように決定され、前記各ラジオインターフェースに対する予想時間は下記の＜式２＞により決定されることを特徴とする請求項１乃至４のいずれか１項に記載の方法。
【数１】
2013512639.tif 000006
【数２】
2013512639.tif 000007
ここで、ｔac(setup）は音響通信リンクをセットアップするために要求される時間を、Ｓは伝送されるオブジェクトのサイズを、Ｒacは音響通信リンクのデータレートを、Ｓcfgは音響通信リンクを通じて伝送されるシステム構成コンテナーのサイズを、ｔ１(setup）は構成情報を受信した後に該当ラジオインターフェースをセットアップするために要求される時間を、Ｒ１は該当ラジオインターフェースでのデータ伝送率を、各々表す。
【請求項６】
携帯用デバイスによってデータオブジェクトを受信する方法であって、
音響通信信号を待機するステップと、
前記音響通信信号が受信され、かつ送信デバイスから音響通信チャンネルを通じるオブジェクト送信に該当する場合、前記音響通信チャンネルを通じて前記オブジェクトを受信するステップと、
前記音響通信信号が受信され、かつ前記送信デバイスから前記音響通信チャンネルを通じる前記オブジェクト送信に該当しない場合に、音響通信リンクを通じて前記送信デバイスから送信されるラジオインターフェースに関する順位情報によるラジオインターフェースを通じて応答メッセージを伝送し、前記該当するラジオインターフェースを通じて前記送信デバイスから送信されるオブジェクトを受信するステップと、
を有することを特徴とする方法。
【請求項７】
前記携帯用デバイスは、前記順位情報によるラジオインターフェースが前記携帯用デバイスに含まれていない場合には前記応答メッセージを伝送しないことを特徴とする請求項６に記載の方法。
【請求項８】
前記順位情報は、前記ラジオインターフェースの順位リストに該当し、あるいは前記ラジオインターフェースのうち最も高い順位のラジオインターフェースに関する選択情報に該当することを特徴とする請求項７に記載の方法。
【請求項９】
携帯用デバイス間にデータオブジェクトを送受信する方法であって、
送信側によって、オブジェクトサイズに基づき、音響通信リンク及びサポートされるラジオインターフェースを用いてデバイスの間で前記オブジェクトを伝送するために要求される予想時間を推定するステップと、
前記推定結果、前記音響通信リンクが最も短い予想伝送時間を提供する場合に、前記オブジェクトを音響通信チャンネルを通じて伝送するステップと、
送信側によって、前記推定結果、前記音響通信リンクが最も短い予想伝送時間を提供しない場合には、前記予想伝送時間によって前記ラジオインターフェースの順位を決定し、所定のフォーマットを有する構成コンテナーを用いて前記順位情報及びそれぞれのサポートされるラジオインターフェースに関する構成情報を音響通信チャンネルを通じて伝送し、応答が受信されるラジオインターフェースを通じて前記オブジェクトを伝送するステップと、
受信側によって、音響通信信号を待機するステップと、
受信側によって、前記音響通信信号が受信され、かつ送信デバイスから音響通信チャンネルを通じるオブジェクト送信に該当する場合、前記音響通信チャンネルを通じて前記オブジェクトを受信するステップと、
受信側によって、前記音響通信信号が受信され、かつ前記送信デバイスから前記音響通信チャンネルを通じる前記オブジェクト送信に該当しない場合に、音響通信リンクを通じて前記送信デバイスから送信されるラジオインターフェースに関する順位情報によるラジオインターフェースを通じて応答メッセージを伝送し、前記該当するラジオインターフェースを通じて前記送信デバイスから送信されるオブジェクトを受信するステップと、
を有することを特徴とする方法。
【請求項１０】
前記順位情報及び前記構成情報が音響通信チャンネルを通じて伝送された後に、前記送信側は、すべてのラジオインターフェースを通じて応答がない場合、あるいは応答が所定時間で検出されない場合に、前記音響通信チャンネルを介して前記オブジェクトを伝送することを特徴とする請求項９に記載の方法。
【請求項１１】
前記受信側で、前記順位情報によるラジオインターフェースが前記携帯用デバイスに含まれていない場合には前記応答メッセージを伝送しないことを特徴とする請求項９に記載の方法。
【請求項１２】
各々の予想伝送時間はリンクセットアップ時間を含むことを特徴とする請求項９に記載の方法。
【請求項１３】
前記順位情報は、前記ラジオインターフェースの順位リストに該当し、あるいは前記ラジオインターフェースのうち最も高い順位のラジオインターフェースに関する選択情報に該当することを特徴とする請求項９に記載の方法。
【請求項１４】
前記音響通信リンクに対する前記予想時間は下記の＜式３＞のように決定され、前記各ラジオインターフェースに対する予想時間は下記の＜式４＞により決定されることを特徴とする請求項９乃至１３のいずれか１項に記載の方法。
【数３】
2013512639.tif 000008
【数４】
2013512639.tif 000009
ここで、ｔac(setup）は音響通信リンクをセットアップするために要求される時間を、Ｓは伝送されるオブジェクトのサイズを、Ｒacは音響通信リンクのデータレートを、Ｓcfgは音響通信リンクを通じて伝送されるシステム構成コンテナーのサイズを、ｔ１(setup）は構成情報を受信した後に該当ラジオインターフェースをセットアップするために要求される時間を、Ｒ１は該当ラジオインターフェースでのデータ伝送率を、各々表す。
【発明の詳細な説明】
【技術分野】
【０００１】
本発明は一般的に無線通信システム及び携帯用デバイスで活用できるデータ符号化及び伝送技術に関するもので、特に多重ラジオインターフェース(radio  interface)を有するデバイス間のオブジェクト伝送方法に関する。
【背景技術】
【０００２】
携帯電話、ネットブック(netbook)、インターネットタブレット(tablet)のような最近の携帯用デバイスは、通常無線データ伝送のために、例えばセルラーラジオ、Ｗｉ-Ｆｉ、Ｗｉ-Ｍａｘ、ブルートゥース(Bluetooth(登録商標))、ジグビー(Zigbee(登録商標))、及び無線ＵＳＢ(Universal Serial Bus)のような複数のラジオインターフェースを含む。
【０００３】
アクセス情報、カレンダー/日程情報、お気に入りのリンク情報、プレイリスト、音楽、映像及びビデオファイルのように格納されている情報の量が益々増加し、ユーザーが携帯用デバイス間にこのような情報を共有するように許可するラジオインターフェースの数も増加する。
【０００４】
しかしながら、一部インターフェースが複雑なセットアップ(set-up)手順を要求するので、これは、ユーザーに混同を与える可能性がある。通常、このようなセットアップ手順は、より向上したラジオインターフェースに直接にデバイスアクセスを実現するために、ユーザーがリストからデバイス選択、ネットワークＩＤの入力、ＰＩＮ(Personal  Identification Number)コード、及び他の構成(configuration)情報の入力のような手動的セットアップ手順を遂行しなければならない。さらに、最近の携帯用デバイスにおける多様なラジオインターフェースは重複機能性(duplicate  functionality)を有し、通常のユーザーは、特定のコンテンツ又はアプリケーションに対する適合したインターフェースを選択する方式に注意を払わない。
【０００５】
また、一部デバイスは、サイズ及び/又はコストに制限があるため、すべてのインターフェースを提供することができない。さらに、以前に使用されたラジオインターフェースが急速に廃れるので、早い技術発達によって実用化される新たなデバイスは、以前のラジオインターフェースをサポートすることができないという問題を有する。
【発明の概要】
【発明が解決しようとする課題】
【０００６】
したがって、上記した従来技術の問題点を解決するために本発明の目的は、デバイス間のデータファイルの伝送において簡単で効果的な解決策を有する多重ラジオインターフェースをサポートする携帯用デバイス、及びこれら装置間のデータオブジェクト伝送方法を提供することにある。
【０００７】
上記方法は、ユーザーが使用上の混同を避けるようにし、データファイル伝送のための適切なラジオインターフェースを選択及び構成するのにかかる無駄な時間を減少することができる。
【課題を解決するための手段】
【０００８】
上記した目的を達成するために、本発明では、音響信号がデータ伝送を初期化及び制御するための手段として使用されることを提案する。音響信号の使用は、オーディオ再生(playback)及びキャプチャー(capture)デバイス(すなわち、スピーカとマイクロホン)が大部分の最近の携帯用インターネット端末機及び携帯電話に必ず具備されるという事実に基づいて着眼した。さらに、音響信号は人間の相互作用においての基本メディアであり、かつ自然的方式であるため、このような素子(スピーカ及びマイクロホン)は、新たな技術の発達によって廃棄されるべきではない。これに対して、ブルートゥース及びＷｉ-Ｆｉのような一部最先端のラジオインターフェースは、未来には人気が落ち、あるいはより向上されたが互換性のないインターフェースによって除去又は代替され得る。
【０００９】
このような観点で、本発明で提案する方法は、将来も使い続け(future-proof)られ、これによって以前の/新たなラジオインターフェースが混合されたデバイス間の通信をサポートすることができる。
【００１０】
本発明の一態様によれば、携帯用デバイスによってデータオブジェクトを送信する方法が提供される。その方法は、オブジェクトサイズに基づき、音響通信リンク及びサポートされるラジオインターフェースを用いてデバイス間にオブジェクトを伝送するために要求される予想伝送時間を推定するステップと、推定結果、音響通信リンクが最も短い予想伝送時間を提供する場合にオブジェクトを音響チャンネルを通じて伝送するステップと、推定結果、音響通信リンクが最も短い予想伝送時間を提供しない場合には、予想伝送時間によってラジオインターフェースの順位を決定し、所定のフォーマットを有する構成コンテナーを用いて順位情報及びそれぞれのサポートされるラジオインターフェースに関する構成情報を音響通信チャンネルを通じて伝送し、応答が受信されるラジオインターフェースを通じてオブジェクトを伝送するステップとを有する。
【００１１】
本発明の他の態様によれば、携帯用デバイスによってデータオブジェクトを受信する方法が提供される。その方法は、音響通信信号を待機するステップと、音響通信信号が受信され、かつ送信デバイスから音響通信チャンネルを通じるオブジェクト送信に該当する場合、音響通信チャンネルを通じてオブジェクトを受信するステップと、音響通信信号が受信され、かつ送信デバイスから音響通信チャンネルを通じるオブジェクト送信に該当しない場合に、音響通信リンクを通じて送信デバイスから送信されるラジオインターフェースに関する順位情報によるラジオインターフェースを通じて応答メッセージを伝送し、該当するラジオインターフェースを通じて送信デバイスから送信されるオブジェクトを受信するステップとを有する。
【発明の効果】
【００１２】
本発明は、多重ララジオインターフェースをサポートする携帯用デバイスの間にデータファイルを簡単で効果的に伝送する方法を提供することができる。ユーザーのための簡潔さが最適化され、データファイル伝送に適したラジオインターフェースを選択及び構成するのにかかる時間を節約することができる。
【００１３】
本発明の上記及び他の様相、特徴、及び利点は、以下のような添付図面とともに続く詳細な説明から、より明らかになるはずである。
【図面の簡単な説明】
【００１４】
【図１】本発明が適用される多重ラジオインターフェースを有する携帯用デバイスの構成を示す概略図である。
【図２】本発明の一実施形態により考慮される２個のラジオインターフェース及び音響通信リンクに対する“オブジェクト伝送時間対オブジェクトサイズの関数”を示す図である。
【図３】本発明の一実施形態によるオブジェクト伝送動作を示す図である。
【図４】本発明の一実施形態によるオブジェクト受信動作を示す図である。
【発明を実施するための形態】
【００１５】
以下、本発明の望ましい実施形態を添付の図面を参照して詳細に説明する。
図面において、同一の構成要素に対してはできるだけ同一の参照符号及び参照番号を付して説明する。なお、公知の機能または構成に関する具体的な説明は、明瞭性と簡潔性のために省略する。
【００１６】
図１は、本発明が適用される多重ラジオインターフェースを有する携帯用デバイスの構成を概略的に示す。まず、本発明が適用されるデバイスの物理的な構成について、図１を参照して詳細に説明する。図１では、送信デバイス１がスピーカ１７を通じて音響信号を送出する構成を有し、受信デバイス２がマイクロホン２７を通じて音響信号を受信する構成を有する場合を示す。しかしながら、実際の環境では、送信デバイス１及び受信デバイス２は、同一のハードウェア構成素子、すなわちスピーカとマイクロホン両方を有することができる。
【００１７】
送信デバイス１は、セルラーラジオ、Ｗｉ-Ｆｉ、Ｗｉ-Ｍａｘ、ブルートゥース、ジグビー、無線ＵＳＢのような複数のラジオインターフェース１２-１，…，１２-ｎを含み、これらラジオインターフェースのうち適切な一つを通じて受信デバイス２と通信する機能を有する。また、送信デバイス１は、音響信号を出力するためにデジタル/アナログ変換器(ＤＡＣ)と接続されたスピーカ１７を含み、音響信号を通じた情報の出力及び複数のラジオインターフェース１２-１，…，１２-ｎを通じた情報の伝送を一般的に制御して適切なデータ符号化動作を遂行する制御部１５を含む。さらに、送信デバイス１は、本発明の実施形態により、制御部１５に対する動作プログラムを格納し、制御部１５の動作に必要な情報を格納するためのメモリ１４を含む。
【００１８】
送信デバイス１と同様に、受信デバイス２は、複数のラジオインターフェース２２-１，…，２２-ｎを含み、これらラジオインタフェースのうちいずれか適切な一つを通じて送信デバイス１と通信する機能を有する。また、受信デバイス２は、音響信号を受信してアナログ/デジタル変換器(ＡＤＣ)２６に提供するマイクロホン２７を含み、音響信号を通じた情報受信及び複数のラジオインターフェース２２-１，…，２２-ｎを通じた情報の受信を一般的に制御して適切なデータ復号化動作を遂行する制御部２５を含む。さらに、受信デバイス２は、制御部２５に対する動作プログラムを格納し、この制御部２５の動作に必要な情報を格納するメモリ２４を含む。
【００１９】
なお、送信デバイス１及び受信デバイス２は、該当デバイスのすべての機能部に電力を供給するために電力供給素子(図示せず)を含み、ユーザーによって動作制御による入力を受信するためのキー入力部(図示せず)と動作状態及び結果をディスプレイするためのディスプレイ部(図示せず)を追加に含むことができる。
【００２０】
本発明が適用されるデバイスは図１に示すように構成でき、本発明による方法は、携帯電話、携帯用マルチメディアプレーヤー、又はコンピュータデバイスに対するソフトウェアで実現され得る。本発明による送信デバイス及び受信デバイスは、次の条件を満たすいかなる携帯用デバイスでも実現することができる。上記条件は、例えば、少なくとも一つのラジオインターフェースを有し、少なくとも一つの送信デバイス(すなわち、初期にファイルを伝送するデバイス)がスピーカーを有し、受信デバイスがマイクロホンを有し、送信及び受信デバイスが音響通信信号を各々符号化及び復号化するソフトウェアを実行するのに十分な中央処理装置(Central Processing Unit：ＣＰＵ)リソースを有する場合である。以下、本発明の実施形態による上記構成を有する携帯用デバイスの特徴及び動作について詳細に説明する。
【００２１】
まず、上記したように、音響信号は、データ伝送のための初期化及び制御手段として使用される。このような音響通信の概念は、当該技術分野では良く知られている。音響通信の一部典型的なタイプは、ＤＴＭＦ(Dual-Tone  Multi-Frequency)シグナリング又は他の簡単なシグナリング方法を含む。最近のシステムでは、雑音音響リンク上でロバスト性能(robust  performance)伝送のために、向上した符号化、変調、及び適応的プロトコルが活用され得る。このようなシステムの一例としては、本願出願人により先出願された韓国特許出願第２０１０-３２５８９号(名称：エンコーダ、デコーダ、符号化及び復号化方法、出願日：２０１０年４月９日)及びロシア特許出願第２００９１１９７７６号に開示されている。このような最近の音響通信システムは、良好なチャンネル環境では３０ｋｂｉｔ/ｓのデータビットレートを達成でき、雑音環境及び通常的なチャンネル環境ではおよそ６〜１０ｋｂｉｔ/ｓのデータビットレートを達成できる。
【００２２】
このデータビットレートは最近のラジオインターフェースで達成される数秒当たりメガビットの伝送率(transfer  rate)に比べて遅く見えるが、このようなタイプの通信システムで要求されるセットアップ時間は非常に短いため、小さなオブジェクト(例えば、小さなファイル)を送受信する場合に音響通信を使用することが好ましい。このような意見は、以下の実施形態により詳しく説明される。また、音響データ信号は、本願出願人により先出願された韓国特許出願第２００９-９８９００号(名称：音響信号を用いる無線通信方法及び装置、出願日：２００９年１０月１６日)及びロシア特許出願第２００８１４３３５７号に開示されているように、ラジオ接続を初期化してセットアップするのに使用され得る。
【００２３】
一つのデバイスから他のデバイスにデータファイルを伝達(すなわち、伝送)するために要求されるユーザーの実際待機時間を推定するために、通信システムにおける通信リンクを形成するために必要なセットアップ時間を考慮しなければならない。この場合、送受信デバイスがパワーオフ状態である場合、送受信デバイスのパワーアップに要求される時間を含むべきである。例えば、韓国特許出願第２０１０-３２５８９号に開示されている装置において、単方向(uni-directional)音響通信システムでオブジェクトを伝送するために要求される時間は、下記の＜式１＞に示すように計算される。
【００２４】
【数１】
2013512639.tif 000003
【００２５】
＜式１＞において、ｔac(setup）は通信リンクのセットアップ時間(例えば、音響通信システムの場合に、同期化時間及びオーディオバッファで引き起こされ、一般的に約１〜２秒の信号遅延時間を含む時間)を、“Ｓ”は伝送されるオブジェクトのサイズ(すなわち、ビット数)を、Ｒacは音響通信システムの一般的なデータレート(すなわち、秒当たりビット数)を、各々表す。
【００２６】
ブルートゥース又はＷｉ-Ｆｉのようなラジオ通信インターフェースの場合には、セットアップ時間は、かなり長くなり、あるいは可変的であり得る。これは、一般的に認識されるデバイスのリストからデバイスの選択、ネットワークＩＤの入力、ＩＰアドレスの入力、及び数字キーの入力のようなユーザーインターフェースを採用するためである。しかしながら、本発明の一実施形態によると、韓国特許出願第２００９-９８９００号に開示されたように、初期に音響通信リンク上の情報を伝送する方法を使用してラジオリンクが自動に形成できると見なす。この場合、ラジオ通信リンクのセットアップ時間は、(通常、数十バイトのサイズを有する)システム構成情報を音響通信リンクを通じて伝送するために要求される時間と、ラジオハンドシェーキング(handshaking)プロトコルにより要求される時間をと含む。
【００２７】
したがって、第１のラジオインターフェース＃１を通じてオブジェクトを伝達(すなわち、伝送)するために要求される総時間は、下記の＜式２＞のように表現することができる。
【００２８】
【数２】
2013512639.tif 000004
【００２９】
＜式２＞において、Ｓcfgは音響通信リンクを通じて伝送されるシステム構成コンテナー(container)のサイズを、ｔ１(setup）はすべての必要な構成情報が受信された後に第１のラジオリンク＃１をセットアップするために通常的に要求される時間を、Ｒ１は第１のラジオインターフェース＃１で通常のデータ伝送率(すなわち、秒当たりビット数)を、各々表す。
【００３０】
同様に、第２のラジオインターフェース＃２を通じてオブジェクトを伝達(すなわち、伝送)するために要求される総時間は、下記の＜式３＞のように表現することができる。
【００３１】
【数３】
2013512639.tif 000005
【００３２】
同様に、該当デバイスに含まれるもう一つのラジオインターフェースに対してもオブジェクトを伝達するために要求される総時間が計算され得る。
【００３３】
ファイルを伝送するために利用可能な最も速いラジオインターフェースが常に選択されると見なされるが、これは、実際に常にそうではない。実際に、より速いインターフェースがより長いリンクセットアップ時間を要求し、これは、小さい又は中間サイズのオブジェクトが伝送される場合に速いビットレートの長所をなくしてしまうことがある。
【００３４】
例えば、上記システムは、下記のようなパラメータを有する２個のラジオインターフェースをサポートすると仮定する。
第１のラジオインターフェース＃１
Ｒ１＝６０００００ｂｉｔ/ｓ
ｔ１(setup)＝５ｓｅｃ
第２のラジオインターフェース＃２
Ｒ２＝３００００００ｂｉｔ/ｓ
ｔ２(setup)＝１５ｓｅｃ
また、下記のようなパラメータを有する音響通信システムが使用され得る。
ｔac(setup)＝１.５ｓｅｃ
Ｒac＝８０００ｂｉｔ/ｓ
構成コンテナーのサイズ：Ｓcfg＝４００ｂｉｔ
【００３５】
図２は、上記した例(すなわち、音響通信リンク、第１のラジオインターフェース＃１、及び第２のラジオインターフェース＃２)に対するオブジェクト伝送時間とオブジェクトサイズとの間の関係を示す。図２を参照すると、ファイルが約９００キロバイトより小さいサイズを有する場合には、最も速い第２のラジオインターフェース＃２が最善の選択でないことがわかる。ファイルサイズが５キロバイトより大きく、かつ９００キロバイトより小さい場合には、第１のラジオインターフェース＃１を使用することが最も良い結果(すなわち、最短伝送時間)を達成することができる。また、ファイル(すなわち、オブジェクト)サイズが５キロバイトより小さい場合には、音響通信チャンネルが最も短いリンクセットアップ時間を有するので、音響通信チャンネルを介して直接に伝送する方がより望ましい。
【００３６】
本発明の実施形態による動作方法は、次のようである。まず、送信デバイスは、オブジェクト(ファイル)のサイズ情報を取り、該当オブジェクトのサイズ情報に基づいて、それぞれ、音響通信リンク及び各サポートされるラジオインターフェースを通じてオブジェクト伝送時間を推定する。この推定は、＜式１＞乃至＜式３＞により計算され、あるいは類似した式により計算され得る。計算結果が音響通信リンクを通じて最短伝送時間が実現されることを示す場合、このファイルは、直接に音響通信信号に符号化及び変調される。
【００３７】
一方、計算結果が少なくても一つのラジオインターフェースが音響通信リンクより速いオブジェクトを伝達することを示す場合、送信デバイスは、予想されるオブジェクト伝送時間によるラジオインターフェースの順位及びすべての利用可能なラジオインターフェースに対する構成コンテナーを準備する。この場合、最短オブジェクト伝送時間を提供すると予想されるラジオインターフェースは、最も高い順位が割り当てられる。その後、このような構成コンテナーは、音響通信信号に符号化された後に、送信デバイスのスピーカを通じて出力される。
【００３８】
一方、受信デバイスが送信デバイスから送出される音響通信信号を受信する場合、受信デバイスは、音響信号を受信して構成コンテナーを復号化し、受信デバイスに物理的に現在含まれているラジオインターフェースのうち最も高い順位のラジオインターフェースを選択し、選択されたラジオインターフェースを通じて応答メッセージを送信することによって、ラジオ通信リンクを形成する。
【００３９】
送信デバイスが利用可能なラジオインターフェースのうちいずれか一つを通じて有効なフィードバック信号を獲得すると、送信デバイスは、遅延なしに、データオブジェクト(例えば、ファイル)を該当インターフェースを通じて送信する。このとき、ファイル伝送のためのラジオインターフェースは実際に受信デバイスにより選択されるということに留意すべきである。送信デバイスは、勧告(すなわち、順位リスト)のみを提供する。
【００４０】
ある場合には、受信デバイスが送信デバイスにより勧告されたラジオインターフェースのうちいずれか一つをサポートできない場合に、簡単な代替(fallback)スキームが使用される。特に、受信デバイスが送信デバイスによって勧告されるラジオインターフェースの中でいずれか一つをサポートできない場合に、受信デバイスは応答メッセージを送信しない。したがって、送信デバイスが所定時間で自身のラジオインターフェースのうちいずれか一つを通じても有効な応答を受信することができない場合、送信デバイスは、構成情報の伝送を中断し、元のファイルを音響通信信号に符号化し、このファイルを音響通信リンクに直接に送信する。このような方式は、長い伝送時間を要求するが、少なくとも該当オブジェクトがすべて伝送されることを保証する。
【００４１】
図３は、本発明の一実施形態によるオブジェクト伝送動作を示す。図３を参照して、送信デバイスは、ステップ３０２で、伝送されるデータファイルのサイズを確認する。送信デバイスは、ステップ３０４で、音響通信リンク及びすべてのラジオインターフェースに対して予想されるオブジェクト伝送時間を計算する。次に、ステップ３０６で、計算結果に基づいて、音響通信リンクが最短伝送時間を要求するか否かを判定する。ステップ３０６で、音響通信リンクが最も短い伝送時間を要求する場合、送信デバイスは、ステップ３１０に進行し、そうでない場合にはステップ３２０に進行する。
【００４２】
ステップ３１０で、送信デバイスは、音響通信チャンネルを介してデータファイルを伝送するためにデータファイルをコンテナーにパッキングする。以後、送信デバイスは、ステップ３１２で、データファイルを音響通信チャンネルを通じて直接に送信する。
【００４３】
一方、ステップ３２０で、送信デバイスは、ラジオインターフェースの順位リストを生成する。次に、ステップ３２２で、送信デバイスは、順位リスト及びすべてのラジオインターフェースに関する構成情報を、所定のフォーマットを有する構成コンテナーを用いて音響通信リンクを通じて送信する。その後、送信デバイスは、ステップ３２４で、ラジオインターフェースのうちいずれか一つからフィードバック信号を待機する。送信デバイスは、ステップ３２６で、フィードバック信号が検出されるか否かを判定する。フィードバック信号が検出されないと判定された場合には、送信デバイスは、ステップ３２８に進行する。一方、フィードバック信号が検出されると判定された場合、送信デバイスは、ステップ３２９に進行し、フィードバック信号が検出された、該当ラジオインターフェースを通じてデータファイルを送信する。
【００４４】
ステップ３２８で、送信デバイスは、待機持続時間が経過したか否かを判定し、現在待機持続時間が経過しない場合にはステップ３２４に戻し、上記した手順を反復する。その反面、待機持続時間が経過した場合、送信デバイスは、ステップ３１０に進行し、音響通信チャンネルを通じてデータファイルを伝送する動作を遂行する。
【００４５】
図４は、本発明の一実施形態によるオブジェクト受信動作を示す。図４を参照すると、受信デバイスは、ステップ４０２で、音響通信信号が受信されたか否かを判定し、音響通信信号が受信される場合にはステップ４０４に進行する。ステップ４０４で、受信デバイスは、受信した音響通信信号が送信デバイスから音響通信チャンネルを介してデータファイル送信に該当するか否かを判定する。受信した音響通信信号が送信デバイスから音響通信チャンネルを介してデータファイル通信に該当する場合、受信デバイスは、ステップ４０６に進行し、音響通信チャンネルを介してデータファイルを受信し、そうでない場合には、ステップ４１０に進行する。
【００４６】
ステップ４１０で、受信デバイスは、音響信号を受信して構成コンテナーを復号化する。ステップ４１２で、受信デバイスは、復号化した構成コンテナーに含まれた順位リストを参照して利用可能な最も高い順位のラジオインターフェースを選択する。以後、ステップ４１４で、受信デバイスは、選択されたラジオインターフェースを通じて応答メッセージを送信し、ステップ４１６で、送信デバイスから選択されたラジオインターフェースを通じて送信されるデータファイルを受信する。
【００４７】
上記のように、本発明の一実施形態による多重ラジオインターフェースを有するデバイス間のオブジェクトを伝送する動作が遂行される。本発明の詳細な説明においては具体的な実施形態に関して説明したが、特許請求の範囲の記載及びこれと均等なものに基づいて定められる本発明の範囲及び趣旨を逸脱することなく、形式や細部の様々な変更が可能であることは、当該技術分野における通常の知識を持つ者には明らかである。
【００４８】
特に、上記の説明では、送信デバイスがラジオインターフェースの順位情報を受信デバイスに送信し、受信デバイスがこのような順位情報を分析して自身に含まれているラジオインターフェースのうち最も高い順位のラジオインターフェースを選択するが、本発明の他の実施形態では、送信及び受信デバイスが同一のハードウェア構成を有する場合に適用されることができる。この場合には、送信デバイスは、最も高い順位のラジオインターフェースを選択し、選択したラジオインターフェースの情報を受信デバイスに送信することによって、受信デバイスは、送信デバイスと同一のラジオインターフェースを有するため、選択されたラジオインターフェースを通じて送信デバイスと通信することができる。
【符号の説明】
【００４９】
１  送信デバイス
２  受信デバイス
１２-１〜１２-ｎ  ラジオインターフェース
１４、２４  メモリ
１５、２５  制御部
１６  デジタル/アナログ変換器（ＤＡＣ）
１７  スピーカ
２２-１〜２２-ｎ  ラジオインターフェース
２６  アナログ/デジタル変換器(ＡＤＣ)
２７  マイクロホン
【図１】
2013512639.tif 000010
【図２】
2013512639.tif 000011
【図３】
2013512639.tif 000012
【図４】
2013512639.tif 000013
【国際調査報告】
2013512639.tif 000014
2013512639.tif 000015